(57)【要約】  【課題】  記録形DVDや、CDなどの光ディスクへの記録において、従前のレーザーをマルチパルスまたは矩形パルスの発光パターンに代わる、レーザー発光期間の始端と終端で、あるいは始端と終端およびその中央位置で、矩形のピーク波形を持ち、それ以外の位置で一定の値をとるような発光パターンで記録を行う際の、レーザー信号の検出の方式を提供する。  【解決手段】  高倍速記録時などの、上述したようなレーザー発光波形に対して、発光波形のスペース区間は、記録レーザーパワーとして検出するDCレベルよりも、比較的高いところに保持しておき、記録パワーの発光区間においては、高速動作のボトム検波回路により該記録パワーを検出する構成とした。【選択図】  図１（ａ）
2006004564.tif 000002
【特許請求の範囲】
【請求項１】
光ディスクの高倍速記録時などのレーザー発光波形に対して、記録レーザーパワーのレベルを検出するレーザーパワー検出方式において、
前記レーザー発光波形の入力信号を所定値と比較し、２値化信号を出力するコンパレータと、
記録レーザーパワーの発光区間のみを検出する高速なボトム検波回路と、
前記ボトム検波回路の入力をプルアップする回路と、
前記ボトム検波回路の上記プルアップする入力のレベルを切換えるスイッチ回路とを備え、
前記レーザー発光波形のスペース領域の区間の記録パワーを、レーザー発光波形の記録ピークパワー、またはピーク検出回路で得たDCレベルに保持しておき、
前記記録レーザーパワー発光区間のみを、前記高速なボトム検波回路を用いて、記録レーザーパワーのレベルを検出する、
ことを特徴とするレーザーパワー検出方式。
【請求項２】
光ディスクの高倍速記録時などのレーザー発光波形に対して、記録レーザーパワーのレベルを検出するレーザーパワー検出方式において、
前記レーザー発光波形の信号を一方の入力とし、他方はコンデンサーの出力のフィードバック信号を、入力とするコンパレータと、
前記コンパレータの出力信号に応じて、前記コンデンサーを充放電するための電流源およびスイッチング手段と、
前記コンパレータの出力信号より信号のDutyを検出し、該Dutyの変化点で前記コンデンサーへの充放電を停止する手段とを備え、
前記コンデンサーへの充放電が停止した時点での該コンデンサーの出力値を、記録レーザーパワーの検出値とする、
ことを特徴とするレーザーパワー検出方式。
【請求項３】
光ディスクの高倍速記録時などのレーザー発光波形に対して、記録レーザーパワーのレベルを検出するレーザーパワー検出方式において、
前記レーザー発光波形の信号の平均値を検出するLPFと、
前記レーザー発光波形信号のDC成分をカットした信号を出力するHPFと、
該HPFの出力を、後述するDuty比較器からの出力信号レベルに、信号の基準を変換するレベル変換器と、
前記レベル変換回路の出力を一方の入力とし、他方は前記コンデンサーの出力のフィードバック信号を入力とするコンパレータと、
前記コンパレータの出力信号に応じて、前記コンデンサーを充放電するための電流源およびスイッチング手段と、
前記コンパレータの出力信号のDutyを比較し、該Dutyの変化点で前記コンデンサーへの充放電を停止するDuty比較器と、
前記Duty比較器の出力と、基準電圧とを入力とし減算を行う減算器と、
前記減算器の出力と、前記LPFの出力とを入力とし、加算を行う加算器とを備え、
前記コンデンサーへの充放電が停止した時点での検出レベルより前記基準電圧を減算した値を、前記LPFで得た値と加算して得た値を、記録レーザーパワーの検出値とする、
ことを特徴とするレーザーパワー検出方式。
【発明の詳細な説明】
【技術分野】
【０００１】
本発明は、レーザーパワー検出方式に関し、特に、光ディスクへの高倍速記録時の、図４（ａ）、図４（ｂ）に示されるような、最近採用されている新たな発光パターンによる記録レーザ発光波形の記録レーザーパワーPwを検出し、最適な記録パワーの実現に寄与することができるものに関するものである。
【背景技術】
【０００２】
従来のレーザーパワー検出方式では、例えば、以下の特許文献に開示されるように、記録レーザー信号をローパスフィルタ（LPF）を通過させることで、信号の周波数に応じた遮断周波数をLPFで設定して、該信号を減衰させ、その信号を、サンプルホールド（Sample/Hold）回路で、値を検出するようにしている。
【特許文献１】特開２００１−１９６６８７号公報（第６頁［００６０］項）、図１）
【発明の開示】
【発明が解決しようとする課題】
【０００３】
ところで、記録の高速化に伴い、図５（ａ）に示すようなマルチパルスでの発光パターンの形成が困難になり、図４（ａ），図４（ｂ）に示すような新たな発光パターンが採用されている。すなわち、この新たなパターンは、従前の図５（ａ）に示すようなマルチパルス、または図５（ｂ）に示すような矩形パルスの発光パターンに代わるもので、図４（ａ）に示すものは、レーザー発光期間の始端と終端およびその中央位置で、矩形のピーク波形を持ち、それ以外の位置で一定の値をとるような発光パターンであり、図４（ｂ）に示すものは、レーザー発光期間の始端と終端で、矩形のピーク波形を持ち、それ以外の位置で一定の値をとるような発光パターンである。これらの発光パターンを用いて記録を行う場合、そのレーザー信号を検出するには、従来の方法ではその精度面での困難性があり、図４（ａ）、図４（ｂ）に示した記録レーザーパワーPwの部分を、新たに検出する方式が必要になるものであった。
【０００４】
すなわち、図４（ａ），図４（ｂ）に示すような新たな発光パターンでは、図５（ａ）に示すようなマルチパルスと異なり、前記従来のレーザーパワー検出方式におけるLPFによる検出では、レーザー信号の制定部分の検出が難しく、サンプルホールド回路で値を抽出し得る検出精度をとれない、などの課題があった。
【課題を解決するための手段】
【０００５】
上記課題を解決するために、本発明の請求項１にかかるレーザーパワー検出方式は、光ディスクの高倍速記録時などのレーザー発光波形に対して、記録レーザーパワーのレベルを検出する方式において、レーザー発光波形の入力信号を所定値と比較し２値化信号を出力するコンパレータと、記録レーザーパワーを発光区間のみにおいて検出する高速なボトム検波回路と、前記ボトム検波回路の入力をプルアップする回路と、前記ボトム検波回路の上記プルアップする入力のレベルを切換えるスイッチ回路とを備え、前記レーザー発光波形のスペース領域の区間の記録パワーを、レーザー発光波形の記録ピークパワー、またはピーク検出回路で得たDCレベルに保持しておき、前記記録レーザーパワー発光区間のみにおいて、前記ボトム検波回路を用いて、記録レーザーパワーのレベルを検出する、ことを特徴とするものである。
【０００６】
本発明の請求項２にかかるレーザーパワー検出方式は、光ディスクの高倍速記録時などのレーザー発光波形に対して、記録レーザーパワーのレベルを検出する方式において、レーザー発光波形信号を一方の入力とし、他方はコンデンサーの出力のフィードバック信号を、入力とするコンパレータと、前記コンパレータの出力信号に応じて、前記コンデンサーを充放電するための電流源およびスイッチング手段と、前記コンパレータの出力信号より信号のDutyを検出し、該Dutyの変化点で前記コンデンサーへの充放電を停止する手段とを備え、前記コンデンサーへの充放電が停止した時点での該コンデンサーの出力値を、記録レーザーパワーの検出値とする、ことを特徴とするものである。
【０００７】
本発明の請求項３にかかるレーザーパワー検出方式は、光ディスクの高倍速記録時などのレーザー発光波形に対して、記録レーザーパワーのレベルを検出する方式において、前記レーザー発光波形の信号の平均値を検出するLPFと、前記レーザー発光波形信号のDC成分をカットした信号を出力するHPFと、該HPFの出力を、後述するDuty比較器からの出力信号レベルに、信号の基準を変換するレベル変換器と、前記レベル変換回路の出力を一方の入力とし、他方は前記コンデンサーの出力のフィードバック信号を、入力とするコンパレータと、前記コンパレータの出力信号に応じて、前記コンデンサーを充放電するための電流源およびスイッチング手段と、前記コンパレータの出力信号のDutyを比較し、該Dutyの変化点で前記コンデンサーへの充放電を停止するDuty比較器と、前記Duty比較器の出力と、基準電圧とを入力とし減算を行う減算器と、前記減算器の出力と、前記LPFの出力とを入力とし加算を行う加算器とを備え、前記コンデンサーへの充放電が停止した時点での検出レベルより前記基準電圧を減算した値を、前記LPFで得た値と加算して得た値を、記録レーザーパワーの検出値とする、ことを特徴とするものである。
【発明の効果】
【０００８】
本発明の請求項１にかかるレーザーパワー検出方式によれば、レーザー発光波形の入力信号を所定値と比較し２値化信号を出力するコンパレータと、記録レーザーパワーを発光区間のみにおいて検出する高速なボトム検波回路と、前記ボトム検波回路の入力をプルアップする回路と、前記ボトム検波回路の上記プルアップする入力のレベルを切換えるスイッチ回路とを備え、前記レーザー発光波形のスペース領域の区間の記録パワーを、レーザー発光波形の記録ピークパワー、またはピーク検出回路で得たDCレベルに保持しておき、前記記録レーザーパワー発光区間のみにおいて、前記ボトム検波回路を用いて、記録レーザーパワーのレベルを検出するようにしたから、光ディスクの高倍速記録時等の、図４に示すような、レーザー発光期間の始端と終端で、あるいは始端と終端およびその中央位置で、矩形のピーク波形を持ち、それ以外の位置で一定の値をとるような発光パターンの、記録レーザー発光波形の記録レーザーパワーPwの検出を、実現することができる。
【０００９】
本発明の請求項２にかかるレーザーパワー検出方式によれば、レーザー発光波形信号を一方の入力とし、他方はコンデンサーの出力のフィードバック信号を、入力とするコンパレータと、前記コンパレータの出力信号に応じて、前記コンデンサーを充放電するための電流源およびスイッチング手段と、前記コンパレータの出力信号より信号のDutyを検出し、該Dutyの変化点で前記コンデンサーへの充放電を停止する手段とを備え、前記コンデンサーへの充放電が停止した時点での該コンデンサーの出力値を、記録レーザーパワーの検出値とするようにしたから、光ディスクの高倍速記録時等の、図４に示すような、レーザー発光期間の始端と終端で、あるいは始端と終端およびその中央位置で、矩形のピーク波形を持ち、それ以外の位置で一定の値をとるような発光パターンの、記録レーザー発光波形の記録レーザーパワーPwの検出を、実現することができる。
【００１０】
本発明の請求項３にかかるレーザーパワー検出方式によれば、レーザー発光波形の信号の平均値を検出するLPFと、前記レーザー発光波形信号のDC成分をカットした信号を出力するHPFと、該HPFの出力を、後述するDuty比較器からの出力信号レベルに、信号の基準を変換するレベル変換器と、前記レベル変換回路の出力を一方の入力とし、他方は前記コンデンサーの出力のフィードバック信号を、入力とするコンパレータと、前記コンパレータの出力信号に応じて、前記コンデンサーを充放電するための電流源およびスイッチング手段と、前記コンパレータの出力信号のDutyを比較し、該Dutyの変化点で前記コンデンサーへの充放電を停止するDuty比較器と、前記Duty比較器の出力と、基準電圧とを入力とし減算を行う減算器と、前記減算器の出力と、前記LPFの出力とを入力とし加算を行う加算器とを備え、前記コンデンサーへの充放電が停止した時点での検出レベルより前記基準電圧を減算した値を、前記LPFで得た値と加算して得た値を、記録レーザーパワーの検出値とするようにしたから、光ディスクの高倍速記録時等の、図４に示すような、レーザー発光期間の始端と終端で、あるいは始端と終端およびその中央位置で、矩形のピーク波形を持ち、それ以外の位置で一定の値をとるような発光パターンの、記録レーザー発光波形の記録レーザーパワーPwの検出を、実現することができる。
【発明を実施するための最良の形態】
【００１１】
高倍速記録時などにおける、図４に示すようなレーザー発光波形に対して、記録レーザーパワーPwを検出するためには、記録レーザーの発光時間が、記録倍速や、記録形成マーク長の関係で、およそ10ns前後になった場合、LPFを用いる従来の方式により、あるいは、直接サンプルホールド（Sample/Hold）回路により、レーザーパワーの値を検出する方法は、その精度面において困難である。本発明は、これを解決するものである。
【００１２】
以下、本発明の実施の形態によるレーザーパワー検出方式について説明する。
【００１３】
（実施の形態１）
図１（ａ）は本発明の実施の形態１によるレーザーパワー検出方式を示す図、図１（ｂ）は本実施の形態１によるレーザーパワー検出方式の動作を説明するための図である。
【００１４】
図１において、１０は入力信号である記録レーザー発光波形、１１は第１のコンパレータ、１２は入力段のスイッチ（SW）、１３はボトム検波回路、１４は抵抗、１５は電圧源である。
【００１５】
次に、本実施の形態１によるレーザーパワー検出方式の動作を説明する。
記録レーザー発光波形１０を入力信号とし、第１のコンパレータ１１で入力信号の上がりエッジを検出し、該上がりエッジの検出により、入力段のスイッチ（SW）１２をONさせ、同様に、前記入力信号の下がりエッジの検出により、入力段のスイッチ（SW）１２をOFFする。
【００１６】
また、ボトム検波回路１３の入力は、前記入力段のスイッチ（SW）１２がOFFしている区間は、入力信号の記録レーザーパワーPwの値よりも高いレベルに、比較的高抵抗である抵抗１４でプルアップしておくようにする。例として、そのプルアップする設定レベルは、記録レーザーのピークパワーPp付近のレベルを、固定値として、抵抗１４を介した電圧源１５で設定するようにするか、ピーク検波回路（図示せず）などで、記録レーザーのピークパワーPpを検出したレベルを、設定するようにする。すなわち、ボトム検波回路１３の応答性に応じて、プルアップしておくレベルを設定するようにする。
【００１７】
入力段のスイッチ（SW）１２が、OFFからONに切換わると、前記記録レーザー発光波形１０が、入力信号として、ボトム検波回路１３に入力され、抵抗１４、および電圧源１５を用いてボトム検波された、図１（ｂ）のドット線で示す検出値が、求める記録レーザーパワーPwのレベルになる。
【００１８】
以上のような構成になる本実施の形態１によるレーザーパワー検出方式によれば、記録レーザー発光波形１０を入力信号とし、第１のコンパレータ１１で入力信号の上がりエッジを検出し、該上がりエッジの検出により、入力段のスイッチ（SW）１２をONさせ、同様に、下がりエッジの検出により、入力段のスイッチ（SW）をOFFし、ボトム検波回路１３の入力は、入力段のスイッチ（SW）１２がOFFしている区間は、入力信号１０の記録レーザーパワーPwの値よりも高いレベルに、比較的高抵抗の抵抗１４でプルアップしておくようにし、入力段のスイッチ（SW）１２がOFFからONに切換わると、入力信号１０がボトム検波回路１３に入力され、ボトム検波された検出値が、記録レーザーパワーPwのレベルとして検出されるようにしたので、光ディスクの高倍速記録時などに用いられる、レーザー発光期間の始端と終端で、あるいは始端と終端およびその中央位置で、矩形のピーク波形を持ち、それ以外の位置で一定の値をとるような発光パターンのレーザー発光波形に対して、記録レーザーパワーのレベルを検出することができる。
【００１９】
（実施の形態２）
以下、本実施の形態２によるレーザーパワー検出方式について説明する。
【００２０】
図２（ａ）は本発明の実施の形態２によるレーザーパワー検出方式を示す図、図２（ｂ）は本実施の形態２によるレーザーパワー検出方式の動作を説明するための図である。
【００２１】
図２（ａ）において、２０は入力信号である記録レーザー発光波形、２１は第２のコンパレータ、２２は第１のコンデンサー、２３は第１のDuty比較器、２４は第１の充電用電流源、２５は第１の放電用電流源である。
【００２２】
次に、本実施の形態２によるレーザーパワー検出方式の動作を説明する。
記録レーザー発光波形２０を、入力信号として、第２のコンパレータ２１の＋側端子に入力し、該第２のコンパレータ２１の−側端子には第１のコンデンサー２２から出力される信号をフィードバックして入力し、該−側端子の電圧により、前記第２のコンパレータ２１の＋側端子からの入力信号２０のコンパレートレベルが決定され、第２のコンパレータ２１の出力は、第１のDuty比較器２３、第１の充電用電流源２４、および第１の放電用電流源２５に入力され、該第１のDuty比較器２３によるDuty判定結果により、第１のコンデンサー２２を充放電するための、上記第１の充電用電流源２４、および第１の放電用電流源２５のスイッチングを行い、該第１のコンデンサー１の充放電が行われる。
【００２３】
ここで、第１のコンデンサー２２を充放電するための電流源２４，２５は、応答性に合わせて、任意で、充放電の比率を決めることができ、充電側の電流源２４の能力を、放電側の電流源２５より高くしておくことで、第２のコンパレータ２１の出力のDutyが50％の場合であっても、第１のコンデンサー２２の出力電圧は上昇するようにできる。これにより、たとえば、第１のコンデンサー２２の出力電圧は、図２（ｂ）の点線に示すようになる。すなわち、コンデンサー充放電区間では、第１のDuty比較器２３の出力がHighのときは、該出力電圧は上昇し、第１のDuty比較器２３の出力がLowのときは該出力電圧は上昇し、コンデンサ充放電停止区間では、上記コンデンサー充放電区間の最後にとった値を保持しつづけることとなる。
【００２４】
また、第１のコンデンサー２２の出力電圧の上昇は、第２のコンパレータ２１の−側端子に接続されているので、第２のコンパレータ２１のスライスレベルが上昇していることになり、第２のコンパレータ２２のスライスレベルの上昇が、入力信号、つまり記録レーザー発光波形２０の記録レーザーパワーPwの部分に達したとき、第２のコンパレータ２１の出力信号のDutyが変化することになり、この点で、コンデンサー充放電区間から、コンデンサー充放電停止区間に移行することになる。
【００２５】
すなわち、第２のコンパレータ２１の出力は、上記のように、第１のDuty比較器２３、および第１の充電用電流源２４および第１の放電用電流源２５に入力され、第１のDuty比較器２３では、第２のコンパレータ２１からの出力信号のDutyを比較し、該Dutyの変化点で、第１のコンデンサー２２の充放電を停止させる。
【００２６】
ここで、第１のDuty比較器２３の例としては、デジタル的にコンパレートされた信号を比較するタイプのものと、コンパレートされた信号をLPFで平均値を取り、その値と、第１のコンデンサー２２の出力電圧が求める記録パワーのレベルに達していない時のDutyがおよそ50％の信号をLPFを通過させて得ることの出来る値を、基準として与えたものとを、コンパレータなど２値化する手段に入力することで、変化点を求め、Dutyの変化を検出するタイプのものとがある。
【００２７】
第１のDuty比較器２３での第１のコンデンサー２２の充放電が停止された時点の、第１のコンデンサー２２の出力電圧が、求める記録レーザーパワーPwのレベルになる。
【００２８】
このような構成になる本実施の形態２によるレーザーパワー検出方式によれば、記録レーザー発光波形を、第２のコンパレータ２１により、第１のコンデンサー２２から出力される信号をフィードバックして入力した電圧と比較して出力し、これをDuty比較器、および充放電用電流源２４、２５に入力して、そのDutyに応じて充放電のスイッチングを行い、この際たとえば、充電側の電流源２４の能力を、放電側の電流源２５の能力より高くしておくことで、第２のコンパレータ２１の出力のDutyが50％の場合であっても第１のコンデンサー４２の出力電圧を上昇させることができ、第１のコンデンサー２２の出力電圧の上昇は、これが第２のコンパレータ２１の−側端子に接続されているので、第２のコンパレータ２１のスライスレベルの上昇となるが、該第２のコンパレータ２１のスライスレベルの上昇が、入力信号、つまり記録レーザー発光波形の記録レーザーパワーPwの部分、に達したとき、第２のコンパレータ２１の出力信号のDutyが変化して、該Dutyの変化点で、第１のコンデンサー４２の充放電を停止させ、このようにして、記録レーザーパワーを検出することができるものであり、これにより、光ディスクの高倍速記録時などに用いられる、レーザー発光期間の始端と終端で、あるいは始端と終端およびその中央位置で、矩形のピーク波形を持ち、それ以外の位置で一定の値をとるような発光パターンのレーザー発光波形に対して、記録レーザーパワーのレベルを検出することができる。
【００２９】
（実施の形態３）
以下、本実施の形態３によるレーザーパワー検出方式について説明する。
図３（ａ）は、本発明の実施の形態３によるレーザーパワー検出方式を示す図、図３（ｂ）は、本実施の形態３によるレーザーパワー検出方式の動作を説明するための図である。
【００３０】
図３（ａ）において、３０は入力信号である記録レーザー発光波形、３１は第１の経路におけるLPF、３３は第２の経路におけるHPF、３４は第２の基準電圧、３５は信号の基準を第２の基準電圧３４に変換するレベル変換器、３６は第３のコンパレータ、３７は第２のコンデンサー、３８はHPFの抵抗、３９は減算器、４０は第３の基準電圧、４１は加算器、４２は第２のDuty比較器、４３は第２の充電用電流源、４４は第２の放電用電流源である。
【００３１】
次に、本実施の形態３によるレーザーパワー検出方式の動作について説明する。
記録レーザー発光波形３０を入力信号として、第１の経路としてのLPF３１に入力し、信号全体の平均値を検出し、加算器４１に伝達する。ここで、記録レーザー発光波形（入力）において、LPF 出力レベルは、記録ボトムパワー（Ｐｂ）に対し、図３（ｂ）に示す電位差ａを有する。
【００３２】
また、上記記録レーザー発光波形３０である入力信号を、第２の経路としてのHPF３３に入力し、信号の基準を、第２の基準電圧３４の電圧に変換し、レベル変換器３５により、基準を変換された信号を、第２の実施の形態と同等の、第３のコンパレータ３６に入力し、第２のコンデンサー３７の出力電圧を、HPF３３の抵抗３８にフィードバックする。第２のコンデンサー３７の出力は、減算器３９にも接続され、第３の基準電圧４０と減算され、加算器４１に伝達される。ここで、第２の基準電圧と、第３の基準電圧の電圧は、同じレベルにある。加算器４１では、減算器３９からの信号と、LPF３１からの信号とを、加算する。
【００３３】
ここで、HPF・レベル変換後波形において、充放電停止時の第２のコンデンサー３７の出力電圧と、第２の基準電圧３４および第３の基準電圧４０との差は、図３（ｂ）に示す電位差ｃであり、該第２の基準電圧３４および第３の基準電圧４０と、HPF・レベル変換後波形の記録ボトムパワー（Ｐｂ）との差は、図３（ｂ）に示す電位差ｂである。
【００３４】
第２の実施の形態でも示したように、第２のDuty比較器４２で検出したDutyの変化点で、第２のコンデンサー３７を、第２の充電用電流源４３および第２の放電用電流源４４で充放電させているのを停止するので、該充放電停止時の、第２のコンデンサー３７の電圧は固定され、HPF３３の抵抗３８にフィードバックされる電圧も固定され、減算器３９へ入力される電圧も固定され、その時点での加算器４１の出力電圧を、求める記録レーザーパワーPwのレベルとして、すなわち、記録レーザーパワー（Ｐｗ）（加算器出力）＝電位差ｃ＋電位差ｂ＝電位差ｃ＋電位差ａを、得ることができる。
【００３５】
このような本実施の形態３によるレーザーパワー検出方式によれば、記録レーザー発光波形３０を入力信号として、第１の経路としてLPF３１に入力し、信号全体の平均値を検出して、加算器４１に伝達し、第２の経路としてHPF３３に入力し、信号の基準を第２の基準電圧３４の電圧に変換し、基準を変換された信号を、第２の実施の形態と同等の第３のコンパレータ３６に入力し、第２のコンデンサー３７の出力電圧を、HPFの抵抗３８にフィードバックし、第２のコンデンサー３７の出力は、減算器３９にも接続し、第３の基準電圧４０と減算して、加算器４１に伝達し、加算器４１では、減算器３９からの信号と、LPF３１からの信号とを加算する構成とし、第２のDuty比較器４２で検出したDutyの変化点で、第２のコンデンサー３７を、第２の充電用電流源４３および第２の放電用電流源４４で充放電させているのを停止するようにしたので、該充放電停止時に、HPFの抵抗３８にフィードバックする電圧も固定され、減算器３９へ入力される電圧も固定され、その時点での加算器４１の出力電圧を、求める記録レーザーパワーPwのレベルとして得ることができるものであり、これにより、光ディスクの高倍速記録時などに用いられる、レーザー発光期間の始端と終端で、あるいは始端と終端およびその中央位置で、矩形のピーク波形を持ち、それ以外の位置で一定の値をとるような発光パターンのレーザー発光波形に対して、記録レーザーパワーのレベルを検出することができる。
【産業上の利用可能性】
【００３６】
本発明にかかるレーザーパワー検出方式は、高速な信号に対した検出機能を有し、光ディスクの高倍速時等の、記録レーザー発光波形のパワー検出において有用である。
【図面の簡単な説明】
【００３７】
【図１（ａ）】本発明の実施の形態１によるレーザー波形検出方式を示す図
【図１（ｂ）】本発明の実施の形態１によるレーザー波形検出方式を説明する図
【図２（ａ）】本発明の実施の形態２によるレーザー波形検出方式を示す図
【図２（ｂ）】本発明の実施の形態２によるレーザー波形検出方式を説明する図
【図３（ａ）】本発明の実施の形態３によるレーザー波形検出方式を示す図
【図３（ｂ）】本発明の実施の形態３によるレーザー波形検出方式を説明する図
【図４（ａ）】記録レーザー発光波形１を示す図
【図４（ｂ）】記録レーザー発光波形２を示す図
【図５（ａ）】記録レーザー発光波形であるマルチパルス波形と、LPF検出波形を示す図
【図５（ｂ）】記録レーザー発光波形である矩形パルス波形を示す図
【符号の説明】
【００３８】
１０    入力信号である記録レーザー発光波形
１１    第１のコンパレータ
１２    入力段のスイッチ（SW）
１３    ボトム検波回路
１４    抵抗
１５    電圧源
２０    入力信号である記録レーザー発光波形
２１    第２のコンパレータ
２２    第１のコンデンサー
２３    第１のDuty比較器
２４    第１の充電用電流源
２５    第１の放電用電流源
３０    入力信号である記録レーザー発光波形
３１    第１の経路におけるLPF
３３    第２の経路におけるHPF
３４    第２の基準電圧
３５    レベル変換器
３６    第３のコンパレータ
３７    第２のコンデンサー
３８    HPFの抵抗
３９    減算器
４０    第３の基準電圧
４１    加算器
４２    第２のDuty比較器
４３    第２の充電用電流源
４４    第２の放電用電流
【図１（ａ）】
2006004564.tif 000003
【図１（ｂ）】
2006004564.tif 000004
【図２（ａ）】
2006004564.tif 000005
【図２（ｂ）】
2006004564.tif 000006
【図３（ａ）】
2006004564.tif 000007
【図３（ｂ）】
2006004564.tif 000008
【図４（ａ）】
2006004564.tif 000009
【図４（ｂ）】
2006004564.tif 000010
【図５（ａ）】
2006004564.tif 000011
【図５（ｂ）】
2006004564.tif 000012